(57)【要約】  【課題】      電力ケーブル内の絶縁層を構成する絶縁紙を短時間で確実に除去することができるケーブル内絶縁紙の除去方法を提供する。  【解決手段】  本発明のケーブル内絶縁紙の除去方法は、ＯＦケーブル（電力ケーブル）１２から絶縁層３２を構成する絶縁紙３２ａを離脱して除去するものであり、（ａ）スパイラル管および導線束を引き抜くことによって、絶縁層３２が露出する管状空間Ｃを確保し、（ｂ）管状空間Ｃ内に送風ホース４４を配設し、（ｃ）送風装置４４を用いて送風ホース４４から管状空間Ｃ内へ送風することによって、絶縁紙３２ａを解しながら、これを送風ホース４４に絡み付かせ、（ｄ）絶縁紙３２ａが絡み付いた送風ホース４４を管状空間Ｃから引き抜くようにしたものである。【選択図】      図１１
2006288115.tif 000002
【特許請求の範囲】
【請求項１】
油送路を構成するスパイラル管、複数の導線からなる導線束、絶縁紙からなる絶縁層、金属からなる遮蔽層および防食層が中心部から外側へ向けてこの順に形成されている電力ケーブルから前記絶縁層を構成する前記絶縁紙を離脱して除去する、ケーブル内絶縁紙の除去方法であって、
（ａ）前記スパイラル管および前記導線束を引き抜くことによって、前記絶縁層が露出する管状空間を確保し、
（ｂ）前記管状空間内に送風ホースを配設し、
（ｃ）送風装置を用いて前記送風ホースから前記管状空間内へ送風することによって、前記絶縁紙を解しながら、これを前記送風ホースに絡み付かせ、
（ｄ）前記絶縁紙が絡み付いた前記送風ホースを前記管状空間から引き抜く、ケーブル内絶縁紙の除去方法。
【請求項２】
油送路を構成するスパイラル管、複数の導線からなる導線束、絶縁紙からなる絶縁層、金属からなる遮蔽層および防食層が中心部から外側へ向けてこの順に形成されている電力ケーブルから前記絶縁層を構成する前記絶縁紙を離脱して除去する、ケーブル内絶縁紙の除去方法であって、
（ａ）前記スパイラル管および前記導線束を引き抜くことによって、前記絶縁層が露出する管状空間を確保し、
（ｂ）前記管状空間の開口端部に吸引ホースを接続し、
（ｃ）吸引装置を用いて前記吸引ホースから前記管状空間内の空気を吸引することによって、前記絶縁紙を解しながら、これを空気とともに前記管状空間の外部へ排出する、ケーブル内絶縁紙の除去方法。
【発明の詳細な説明】
【技術分野】
【０００１】
本発明は、ＯＦケーブル（oil-filled cable：油浸絶縁電力ケーブル）等のような電力ケーブルを配線管路から撤去する際に、電力ケーブル内から絶縁層を構成する絶縁紙を除去する、ケーブル内絶縁紙の除去方法に関する。
【背景技術】
【０００２】
今日では、大容量送電のための電力ケーブルとして、図１５に示すようなＯＦケーブル１が使用されており、このＯＦケーブル１を地中に配線する際には、図１６に示すような配線管路２が使用されている。
【０００３】
ＯＦケーブル１（図１５）は、油送路Ａを構成するスパイラル管３と、スパイラル管３の周囲に配設された複数の導線４ａからなる導線束４とを備えており、導線束４の周囲には、カーボン紙５ａを介して、絶縁紙６ａからなる絶縁層６が形成されている。また、絶縁層６の周囲には、カーボン紙５ｂを介して、金属からなる遮蔽層７が形成されており、遮蔽層７の周囲には、金属層８を介して、ネオプレン等からなる防食層９が形成されている。一方、配線管路２（図１６）は、コンクリートからなるマンホール２ａと、マンホール２ａ間に配設された複数の多孔管２ｂとによって構成されており、各多孔管２ｂの内部には、複数の管路２ｃが形成されている。したがって、複数の多孔管２ｂによってマンホール２ａどうしを連通した状態（図１６）では、マンホール２ａ間にＯＦケーブル１を配線するための複数の配線路２ｄが構成される。
【０００４】
ＯＦケーブル１を配線管路２の配線路２ｄ内に配線した状態では、ＯＦケーブル１の外面と配線路２ｄの内面との間に隙間が確保される。そのため、配線した直後にＯＦケーブル１を撤去する場合には、引抜抵抗が小さく、配線路２ｄからＯＦケーブル１を容易に引き抜くことができる。しかし、配線後に長期間が経過したときには、「地盤の不等沈下等によって配線路２ｄが蛇行すること」、「近辺領域の工事の際に配線路２ｄ内へ地盤硬化剤Ｂが侵入すること」、「防食層９が水を含んで膨張すること」等によってＯＦケーブル１の引抜抵抗が増大し、ＯＦケーブル１を引き抜くことが困難になる場合があった。
【０００５】
そこで、本件出願人は、先の出願において、引抜抵抗が増大したＯＦケーブルをその中心側の構成部材から順に除去することによって撤去するようにした「ＯＦケーブルの撤去方法」を提案している（特許文献１）。
【特許文献１】特開２００３−３２４８１４号公報
【発明の開示】
【発明が解決しようとする課題】
【０００６】
従来の「ＯＦケーブルの撤去方法」では、ＯＦケーブル１の構成部材を中心側から順に除去するようにしていたが、絶縁層６については、それを構成する絶縁紙６ａの引っ張り強度が不十分なため、その除去作業を短時間で確実に行うことは困難であった。
【０００７】
つまり、絶縁紙６ａは、遮蔽層７の内側においてＯＦケーブル１の全長に亘って螺旋状に巻回されているため、特段の事情がなければ、絶縁紙６ａを端部から引っ張ることによって、その全体を連続的に引き抜くことが可能である。しかし、絶縁紙６ａが遮蔽層７の内面に固着されている場合や、配線路２ｄが蛇行している場合には、絶縁紙６ａの引抜抵抗が増大するため、これを無理に引き抜こうとすると、絶縁紙６ａが途中で切断されるおそれがある。そして、絶縁紙６ａが途中で切断された場合には、もはや絶縁紙６ａを連続的に引き抜くことはできないため、先端に有刺鉄線が取り付けられたロッド等を用いて絶縁紙６ａを掻き出さなければならず、絶縁紙６ａの除去作業が著しく遅延し、最悪の場合には、絶縁紙６ａの除去を断念してＯＦケーブル１を放置しなければならないという問題があった。
【０００８】
それゆえに、本発明の主たる課題は、電力ケーブル内の絶縁紙を短時間で確実に除去することができる、ケーブル内絶縁紙の除去方法を提供することである。
【課題を解決するための手段】
【０００９】
請求項１に記載した発明は、「油送路Ａを構成するスパイラル管２６、複数の導線２８ａからなる導線束２８、絶縁紙３２ａからなる絶縁層３２、金属からなる遮蔽層３４および防食層３８が中心部から外側へ向けてこの順に形成されている電力ケーブル１２から前記絶縁層３２を構成する前記絶縁紙３２ａを離脱して除去する、ケーブル内絶縁紙の除去方法であって、（ａ）前記スパイラル管２６および前記導線束２８を引き抜くことによって、前記絶縁層３２が露出する管状空間Ｃを確保し、（ｂ）前記管状空間Ｃ内に送風ホース４４を配設し、（ｃ）送風装置４２を用いて前記送風ホース４４から前記管状空間Ｃ内へ送風することによって、前記絶縁紙３２ａを解しながら、これを前記送風ホース４４に絡み付かせ、（ｄ）前記絶縁紙３２ａが絡み付いた前記送風ホース４４を前記管状空間Ｃから引き抜く、ケーブル内絶縁紙の除去方法」である。
【００１０】
送風装置４２を用いて管状空間Ｃ内へ送風すると、管状空間Ｃ内には気流が発生し、この気流が絶縁紙３２ａの隙間に入り込む。すると、絶縁紙３２ａが気流によって解されながら、遮蔽層３４の内面から離脱され、送風ホース４４の表面に絡み付く。したがって、その後は、管状空間Ｃから送風ホース４４を引き抜くだけで、絶縁紙３２ａを除去することができる。
【００１１】
請求項２に記載した発明は、「油送路Ａを構成するスパイラル管２６、複数の導線２８ａからなる導線束２８、絶縁紙３２ａからなる絶縁層３２、金属からなる遮蔽層３４および防食層３８が中心部から外側へ向けてこの順に形成されている電力ケーブル１２から前記絶縁層３２を構成する前記絶縁紙３２ａを離脱して除去する、ケーブル内絶縁紙の除去方法であって、（ａ）前記スパイラル管２６および前記導線束２８を引き抜くことによって、前記絶縁層３２が露出する管状空間Ｃを確保し、（ｂ）前記管状空間Ｃの開口端部に吸引ホース５０を接続し、（ｃ）前記吸引装置４８を用いて前記吸引ホース５０から前記管状空間Ｃ内の空気を吸引することによって、前記絶縁紙３２ａを解しながら、これを空気とともに前記管状空間Ｃの外部へ排出する、ケーブル内絶縁紙の除去方法」である。
【００１２】
吸引装置４８を用いて管状空間Ｃ内の空気を吸引すると、管状空間Ｃ内には気流が発生し、この気流が絶縁紙３２ａの隙間に入り込む。すると、絶縁紙３２ａが気流によって解されながら、遮蔽層３４の内面から離脱され、空気とともに吸引ホース５０を通して管状空間Ｃの外部へ排出される。
【発明の効果】
【００１３】
請求項１に記載した発明によれば、管状空間内へ送風するだけで、絶縁紙を遮蔽層の内面から離脱させて、送風ホースに絡み付かせることができ、その後は、絶縁紙が絡み付いた送風ホースを管状空間から引き抜くだけで、絶縁紙を除去することができる。したがって、電力ケーブル内の絶縁紙を短時間で確実に、しかも低コストで除去することができる。
【００１４】
請求項２に記載した発明によれば、管状空間内の空気を吸引するだけで、絶縁紙を遮蔽層の内面から離脱させて、空気とともに排出することができる。したがって、電力ケーブル内の絶縁紙を短時間で確実に、しかも低コストで除去することができる。
【発明を実施するための最良の形態】
【００１５】
本発明が適用された「ケーブル内絶縁紙の除去方法」は、「ＯＦケーブルの撤去方法」における一工程を担うものである。したがって、以下には、「ＯＦケーブルの撤去方法」の全体を説明する中で、本発明の「ケーブル内絶縁紙の除去方法」について詳述する。なお、以下には、本発明を単芯ＯＦケーブルに適用した場合について説明するが、本発明は、三芯ＯＦケーブル等の他の電力ケーブルにも適用可能である。
【００１６】
「ＯＦケーブルの撤去方法」は、地中に埋設された配線管路１０（図１）内に挿通されたＯＦケーブル１２が老朽化した場合に、これを効率よく撤去するものである。
【００１７】
ここで、配線管路１０は、図１に示すように、コンクリートからなるマンホール１４と、マンホール１４間に配管された複数の多孔管１６とによって構成されている。各多孔管１６は、図２に示すように、コンクリートからなる本体１８を有し、本体１８の底部には、コンクリートからなる台座２０が形成されている。また、本体１８の内部には、複数（この実施例では４本）の管路２２が形成されている。したがって、複数の多孔管１６によってマンホール１４どうしを連通した状態（図１）では、マンホール１４間にＯＦケーブル１２を配線するための複数（この実施例では４本）の配線路２４が構成される。
【００１８】
ＯＦケーブル１２は、図３〜図５に示すように、スパイラル管２６の周囲に、導線束２８，カーボン紙３０ａ，絶縁層３２，カーボン紙３０ｂ，遮蔽層３４，金属層３６および防食層３８がこの順に形成された多層構造を有している。
【００１９】
スパイラル管２６は、絶縁油が流される油送路Ａを構成するものであり、亜鉛メッキ鋼板やステンレス等のような金属からなる帯状体を螺旋状に巻回することによって形成されている。導線束２８は、送電路を構成するものであり、複数の導線２８ａをスパイラル管２６の外周面に沿わせて層状に配置することによって形成されている。絶縁層３２は、導線束２８と外部とを絶縁するものであり、導線束２８に巻き付けられたカーボン紙３０ａの外面にクラフト紙等からなるテープ状の絶縁紙３２ａを多層に巻き付けることによって形成されている。遮蔽層３４は、近隣に配設されている通信線等への電圧誘導（通信ノイズの原因）を防止するものであり、絶縁層３２に巻き付けられたカーボン紙３０ｂの周囲に鉛またはアルミニウム等のような金属材料を押し出すことによって形成されている。金属層３６は、遮蔽層３４の外面に真鍮またはステンレス等からなる金属テープを巻き付けることによって形成されている。防食層３８は、ＯＦケーブル１２の内部腐食を防止するものであり、金属層３６の周囲にクロロプレンゴムまたはネオプレン等のような樹脂材料を押し出すことによって形成されている。
【００２０】
このようなＯＦケーブル１２を配線管路１０の配線路２４内に配線した状態では、図２に示すように、ＯＦケーブル１２の外面と配線路２４の内面との間に隙間が確保される。そのため、配線した直後にＯＦケーブル１２を撤去する場合には、引抜抵抗が小さく、配線路２４からＯＦケーブル１２を容易に引き抜くことができる。しかし、配線後に長期間が経過した場合には、その間に生じた配線路２４の蛇行（図１６）や、配線路２４へ浸入した地盤硬化剤Ｂ（図１６）や、水を含んで膨張した防食層３８の膨張部（図示省略）等によって、ＯＦケーブル１２の引抜抵抗が増大し、ＯＦケーブル１２を容易に引き抜くことができなくなる場合があり、かかる場合に、「ＯＦケーブルの撤去方法」が用いられる。
【００２１】
「ＯＦケーブルの撤去方法」では、まず、或るマンホール１４内においてＯＦケーブル１２を切断するとともに、他のマンホール１４内においてＯＦケーブル１２を切断し、撤去すべきＯＦケーブル１２を確保する。ただし、ＯＦケーブル１２が接続部材で接続されている場合には、接続部材においてＯＦケーブル１２を切り離すだけでよく、これを切断する必要はない。
【００２２】
続いて、図６に示すように、スパイラル管２６の端部を図示しない引抜装置（ウインチ等）の係止部に係止し、引抜装置によってスパイラル管２６を引き抜く。このとき、スパイラル管２６の内側には油送路Ａが確保されているので、スパイラル管２６は縮径されながら引き抜かれることになる。したがって、スパイラル管２６の引抜抵抗は比較的小さく、この引抜作業は容易である。なお、ＯＦケーブル１２の長さが短い場合には、手作業でスパイラル管２６を引き抜くようにしてもよい。
【００２３】
スパイラル管２６を除去すると、図７に示すように、ＯＦケーブル１２の中心部に確保された管状空間（油送路Ａを含む）Ｃに対して導線束２８を構成する導線２８ａが露出する。しかし、各導線２８ａは互いに密着されているため、単に引っ張るだけではこれを引き抜くことはできない。そこで、まず、少なくとも１本（この実施例では１本）の導線２８ａを導線束２８から離脱させることによって残りの導線２８ａの結束を緩め、その後、残りの導線２８ａを引き抜くようにする。
【００２４】
導線２８ａを導線束２８から離脱させる際には、図８に示すように、まず、管状空間Ｃの一端から他端に亘って線材（ワイヤ，ピアノ線，ロープ等）４０を挿通し、線材４０の先端を管状空間Ｃに露出した導線２８ａのいずれかに接続部材４０ａを介して接続する。そして、巻取装置（ウインチ等）または手作業により線材４０を巻き取る。すると、導線２８ａがＵ字状に屈曲されながら導線束２８から離脱され、この導線２８ａが管状空間Ｃの一端から外部へ引き出される。
【００２５】
残りの各導線２８ａを引き抜く際には、引抜装置（ウインチ等）または手作業によってこれを単純に引き抜く。つまり、導線束２８から少なくとも１本の導線２８ａを離脱させると導線束２８を構成する残りの導線２８ａの結束が緩むため、残りの各導線２８ａは、Ｕ字状に折り返すことなく単に引っ張るだけでも引き抜くことができる。
【００２６】
導線束２８の除去が完了すると、図９に示すように、遮蔽層３４の内側にカーボン紙３０ａ、絶縁層３２およびカーボン紙３０ｂが残される。そこで、次工程では、本発明の「ケーブル内絶縁紙の除去方法」を用いて、カーボン紙３０ａおよび３０ｂとともに絶縁層３２を除去する。ただし、カーボン紙３０ａおよび３０ｂについては、絶縁層３２とは別に、引抜装置（ウインチ等）または手作業によって引き抜くようにしてもよい。
【００２７】
本実施例の「ケーブル内絶縁紙の除去方法」は、以下の「送風ホース配設工程（図１０）」、「送風工程（図１１）」および「排出工程（図１２）」によって構成される。
【００２８】
「送風ホース配設工程」では、図１０に示すように、まず、エアコンプレッサ等のような送風装置４２と送風ホース４４とを準備する。そして、管状空間Ｃ内に線材（ワイヤ，ピアノ線，ロープ等）４６を挿通し、その一端を送風ホース４４の出口側端部に接続する。続いて、線材４６を他端側から巻き取ることによって、送風ホース４４を管状空間Ｃ内へ引き込み、送風ホース４４の出口側端部を管状空間Ｃ内の所定位置に位置決めする。一方、送風ホース４４の入口側端部を送風装置４２の送風口に接続する。
【００２９】
なお、送風装置４２の送風能力は、ＯＦケーブル１２の口径や長さに応じて適宜設定される。また、「排出工程（図１２）」において絶縁紙３２ａの脱落を防止するために、送風ホース４４の表面の材質は、ゴム等のような絶縁紙３２ａとの摩擦抵抗が大きいものであることが望ましく、送風ホース４４の表面形状は、粗面であることが望ましい。
【００３０】
「送風工程」では、図１１（Ａ）に示すように、送風装置４２（図１０）を駆動して、送風ホース４４の出口側端部から管状空間Ｃ内へ送風する。すると、送風によって発生した空気流が絶縁層３２を構成する絶縁紙３２ａの隙間に流入し、絶縁紙３２ａが解される。そして、送風開始から時間が経過するにつれて、図１１（Ｂ）に示すように、空気流によって解された絶縁紙３２ａがカーボン紙３０ａおよび３０ｂとともに遮蔽層３４の内面から離脱されていき、これらが送風ホース４４の表面に絡み付くようになる。そして、実験等によって求められた「絶縁層３２ａが離脱するのに要する時間」が経過すると、送風を停止して、次の「排出工程」へ移行する。
【００３１】
「排出工程」では、図１２に示すように、絶縁紙３２ａ等が絡み付いた送風ホース４４を管状空間Ｃ内から挿入方向とは反対の方向へ引き抜く。そして、送風ホース４４の出口側端部に接続された線材４６を取り外すとともに、送風ホース４４の表面に絡み付いた絶縁紙３２ａを取り外す。
【００３２】
なお、一回の作業で絶縁紙３２ａを完全に除去できなかった場合には、この作業(送風ホース配設工程→送風工程→排出工程)を複数回繰り返すようにしてもよい。
【００３３】
この実施例の「ケーブル内絶縁紙の除去方法（図１０、図１１、図１２）」によれば、絶縁紙３２ａ等を遮蔽層３４から離脱させる工程と、絶縁紙３２ａ等を送風ホース４４に絡み付かせる工程とを、送風により発生した空気流によって短時間で連続的に行うことができ、しかも、管状空間Ｃ内から送風ホース４４を引き抜くだけで、絶縁紙３２ａ等を簡単に除去することができる。
【００３４】
「ケーブル内絶縁紙の除去方法」によってカーボン紙３０ａ、絶縁層３２およびカーボン紙３０ｂを除去すると、図１２に示すように、遮蔽層３４、金属層３６および防食層３８だけが残される。しかし、遮蔽層３４は所定の厚さで強固に形成されているため、これを防食層３８および金属層３６から引き抜くことは容易ではない。そこで、遮蔽層３４、金属層３６および防食層３８を除去する際には、まず、切断装置を用いて遮蔽層３４を軸方向または周方向に切断し、次いで、遮蔽層３４、金属層３６および防食層３８の全体を縮径させてこれらの引抜抵抗を小さくし、その後、引抜装置（ウインチ等）によってこれらを配線路２４から同時に引き抜く。なお、遮蔽層３４、金属層３６および防食層３８を除去する工程については、「特開２００３−３２４８１４号」または「特開２００４−１８１５８３号」等で開示されている方法を適宜選択して用いることができる。
【００３５】
なお、上述した「ケーブル内絶縁紙の除去方法（図１０、図１１、図１２）」では、送風装置４２と送風ホース４４とを用いて絶縁紙３２ａを除去するようにしているが、図１３に示すように、吸引装置４８と吸引ホース５０とを用いて絶縁紙３２ａを除去するようにしてもよい。
【００３６】
この実施例の「ケーブル内絶縁紙の除去方法」は、以下の「吸引ホース配設工程（図１３）」および「吸引・排出工程（図１４）」によって構成される。
【００３７】
「吸引ホース配設工程」では、図１３に示すように、まず、真空吸引装置等のような吸引装置４８および吸引ホース５０を準備する。そして、管状空間Ｃの開口端部に吸引ホース５０の入口側端部を接続バンド５０ａ等によって接続し、吸引ホース５０の出口側端部を吸引装置４８の吸入口に接続する。なお、図１３に示した吸引装置４８は車載型であるが、トラック等によって運搬可能な独立型であってもよい。
【００３８】
「吸引・排出工程」では、図１４に示すように、吸引装置４８（図１３）を駆動して、吸引ホース５０の入口側端部から管状空間Ｃ内の空気を吸入する。すると、吸引によって発生した空気流が絶縁層３２を構成する絶縁紙３２ａの隙間に流入し、絶縁紙３２ａが解される。そして、送風開始から時間が経過するにつれて、空気流によって解された絶縁紙３２ａがカーボン紙３０ａおよび３０ｂとともに遮蔽層３４の内面から離脱されていき、これらが空気とともに吸引ホース５０を通して排出される。
【００３９】
この実施例の「ケーブル内絶縁紙の除去方法（図１３、図１４）」によれば、絶縁紙３２ａ等を遮蔽層３４から離脱させる工程と、絶縁紙３２ａ等を空気とともに排出する工程とを、空気吸引により発生した空気流によって短時間で連続的に行うことができる。
【図面の簡単な説明】
【００４０】
【図１】ＯＦケーブルが挿通される管路を示す簡略図である。
【図２】図１におけるII−II線断面図である。
【図３】ＯＦケーブルを示す横断面図である。
【図４】ＯＦケーブルを示す縦断面図である。
【図５】ＯＦケーブルを示す斜視図である。
【図６】スパイラル管の引抜工程を示す斜視図である。
【図７】スパイラル管を引き抜いた後のＯＦケーブルを示す斜視図である。
【図８】導電線の引抜工程を示す断面図である。
【図９】導電線を引き抜いた後のＯＦケーブルを示す断面図である。
【図１０】「送風ホース配設工程」を示す簡略図である。
【図１１】「送風工程」を示す断面図である。
【図１２】「排出工程」を示す断面図である。
【図１３】「吸引ホース配設工程」を示す簡略図である。
【図１４】「吸引・排出工程」を示す断面図である。
【図１５】ＯＦケーブルを示す横断面図である。
【図１６】ＯＦケーブルが挿通された配線管路（不等沈下あり）を示す図である。
【符号の説明】
【００４１】
１０…  配線管路
１２…  ＯＦケーブル
２４…  配線路
２６…  スパイラル管
２８…  導線束
２８ａ…  導線
３０ａ，３０ｂ…  カーボン紙
３２…  絶縁層
３２ａ…  絶縁紙
３４…  遮蔽層
３６…  金属層
３８…  防食層
４０，４６…  線材
４２…  送風装置
４４…  送風ホース
４８…  吸引装置
５０…  吸引ホース
【図１】
2006288115.tif 000003
【図２】
2006288115.tif 000004
【図３】
2006288115.tif 000005
【図４】
2006288115.tif 000006
【図５】
2006288115.tif 000007
【図６】
2006288115.tif 000008
【図７】
2006288115.tif 000009
【図８】
2006288115.tif 000010
【図９】
2006288115.tif 000011
【図１０】
2006288115.tif 000012
【図１１】
2006288115.tif 000013
【図１２】
2006288115.tif 000014
【図１３】
2006288115.tif 000015
【図１４】
2006288115.tif 000016
【図１５】
2006288115.tif 000017
【図１６】
2006288115.tif 000018